(57)【要約】【課題】簡易な構造の固定具を提供する。【解決手段】筒状の可撓性シールド部材２７を被固定物２０に固定する金属製の固定具１０は、被固定物２０に対し、可撓性シールド部材２７を間に挟んで巻きつけられるとともに締め付けられる帯状の締め付け部１１を有し、かつ、締め付け部１１の一端部１１Ａと他端部１１Ｂとを重ね合わせて塑性変形させることにより、被固定物２０に固定される。締め付け部１１の可撓性シールド部材２７側に配される面１２には突部１３が形成されているのが好ましい。【選択図】図８
2014003844.tif 000002
【特許請求の範囲】
【請求項１】
筒状の可撓性シールド部材を被固定物に固定する金属製の固定具であって、
前記被固定物に対し、前記可撓性シールド部材を間に挟んで巻きつけられるとともに締め付けられる帯状の締め付け部を有し、かつ、
前記締め付け部の一端部と他端部とを重ね合わせて塑性変形させることにより、前記被固定物に固定される固定具。
【請求項２】
前記締め付け部のうち、前記可撓性シールド部材側に配される面には、突部が形成されている請求項１に記載の固定具。
【請求項３】
前記突部が、対向する位置に形成されている請求項２に記載の固定具。
【発明の詳細な説明】
【技術分野】
【０００１】
本発明は、固定具に関する。
【背景技術】
【０００２】
複数本のノンシールド電線を、シールドパイプと可撓性シールド部材に挿通することで、一括シールドしてなるシールド導電体は、例えば、電気自動車の動力回路として用いることができる。
【０００３】
このようなシールド導電体においては、シールドパイプと可撓性シールド部材とを接続するために、例えば特許文献１に記載されているような、環状の固定具が取り付けられている。
【先行技術文献】
【特許文献】
【０００４】
【特許文献１】特開２００９−２５０４１０号公報
【発明の概要】
【発明が解決しようとする課題】
【０００５】
特許文献１に記載の環状の固定具は、可撓性シールド部材を取り付けたシールドパイプの外周に沿って配されるバンド部と、バンド部を可撓性シールド部材にしめつける締め付け耳部が形成されたクランプ部とを有する。
【０００６】
この固定具は、クランプ部およびバンド部をそれぞれ作製してから、これら２部材を溶接により接合して得られるものである。したがって、このような固定具には、構造が複雑で、製造に手間がかかるためコスト高であるという問題があった。
【０００７】
本発明は上記のような事情に基づいて完成されたものであって、簡易な構造の固定具を提供することを目的とする。
【課題を解決するための手段】
【０００８】
上記課題を解決するものとして本発明は、筒状の可撓性シールド部材を被固定物に固定する金属製の固定具であって、前記被固定物に対し、前記可撓性シールド部材を間に挟んで巻きつけられるとともに締め付けられる帯状の締め付け部を有し、かつ、前記締め付け部の一端部と他端部とを重ね合わせて塑性変形させることにより、前記被固定物に固定される固定具である。
【０００９】
本発明の固定具を用いて可撓性シールド部材を被固定物に固定する際には、まず帯状の締め付け部を、被固定物に取り付けた可撓性シールド部材の外周に沿って巻きつける。次に、被固定物に巻き付けた固定具の締め付け部の一端部と他端部とを重ね合わせて引張ることにより被固定物に固定具を締め付け状態としつつ塑性変形させると、固定具を被固定物に固定することができる。
【００１０】
本発明によれば、固定具を、帯状の締め付け部を有するとともに、締め付け部の一端部と他端部とを重ね合わせて塑性変形させることで被固定物に固定具を固定可能な構成とするだけでよいので、簡易な構造の固定具を提供することができる。
【００１１】
本発明は以下の構成としてもよい。
前記締め付け部のうち、前記可撓性シールド部材側に配される面には、突部が形成されていてもよい。このような構成とすると締め付け部が可撓性シールド部材に食い込むように接触するので、固定具が位置ずれしにくくなる。
【００１２】
前記突部が、対向する位置に形成されていてもよい。このような構成とすると、固定具の位置ずれを確実に防止することができる。
【発明の効果】
【００１３】
本発明によれば、簡易な構造の固定具を提供することができる。
【図面の簡単な説明】
【００１４】
【図１】実施形態１の固定具の正面図
【図２】固定具の平面図
【図３】輪状にする前の固定具の平面図
【図４】コネクタに取り付けた状態の固定具の平面図
【図５】コネクタに取り付けた状態の固定具の正面図
【図６】コネクタに取り付けた状態の固定具の側面図
【図７】コネクタに取り付けた状態の固定具の断面図
【図８】コネクタに固定された状態の固定具の断面図
【発明を実施するための形態】
【００１５】
＜実施形態１＞
本発明の実施形態１を図１ないし図８によって説明する。以下の説明において、図１における上方を上とし下方を下とする。
本実施形態の固定具１０は、筒状の可撓性シールド部材２７を筒状のコネクタ２０（被固定物２０の一例）に固定する金属製の固定具１０である。
【００１６】
固定具１０が取り付けられるコネクタ２０については詳細は図示しないが、３本の電線２４が接続されている。各電線２４は金属製の導体２５が絶縁樹脂製の被覆材料２６により被覆されてなるものである。
【００１７】
コネクタ２０の底壁２１には、図５および図６に示すように、ブラケット２２が延出されている。ブラケット２２には、図４に示すように、２つの略円形の貫通孔２３が形成されており、この貫通孔２３にはコネクタ２０を、コネクタ２０が取り付けられる部材に取り付けて固定するためのネジ（図示せず）が挿通可能となっている。
【００１８】
コネクタ２０には筒状の可撓性シールド部材２７が取り付けられている。可撓性シールド部材２７は、詳細は図示しないが、金属細線をメッシュ状に編んだ編組線からなるものである。この可撓性シールド部材２７は筒状に構成され、コネクタ２０の外部に延出した電線２４の周囲を包囲する構成をなしている。
【００１９】
固定具１０は、図８に示すように、帯状の締め付け部１１の端部１１Ａ，１１Ｂ（後述する）に塑性加工が施されることにより、コネクタ２０を締め付ける形態で形状保持されるものであり、コネクタ２０の周囲に環状に固定される構成をなしている。
【００２０】
固定具１０は、板金加工によって構成されるものであり、コネクタ２０に対し、可撓性シールド部材２７を間に挟んで締め付けられる帯状の締め付け部１１を有する（図２、図３および図５を参照）。図３に示す固定具１０は輪状に変形する前のものである。
【００２１】
固定具１０の締め付け部１１には、図１、図７および図８に示すように、押し出し加工により、内壁面１２からコネクタ２０側に突出する突部１３が２つ、対向する位置に形成されている。
【００２２】
固定具１０をコネクタ２０に固定した状態において、締め付け部１１の一端部１１Ａと他端部１１Ｂとは、図８に示すように、重ね合わせられた状態で略円形をなすように折り曲げることにより塑性変形されている。
【００２３】
次に本実施形態の固定具１０により可撓性シールド部材２７をコネクタ２０に固定する方法について説明する。
まず、板金加工によって図３に示すような固定具１０を用意する。突部１３は、締め付け部１１の壁面を外側から内側に向けて押し出す加工を施すことによって形成されている。
【００２４】
コネクタ２０の外壁面に可撓性シールド部材２７を重ねるように配置し、その外周に沿って、固定具１０の締め付け部１１を巻き付ける。次に、締め付け部１１の一端部１１Ａと、締め付け部１１の他端部１１Ｂとを重ね合わせる。ここで、予め、締め付け部１１の一端部１１Ａと他端部１１Ｂとを重ね合わせて固定具１０を輪状にしておいてから、可撓性シールド部材２７を重ねたコネクタ２０に嵌めこんでもよい。
【００２５】
次に、締め付け部１１の両端部１１Ａ，１１Ｂを引っ張ってコネクタ２０に対して可撓性シールド部材２７を締め付け状態とすると、図７に示すように、締め付け部１１に形成した突部１３が可撓性シールド部材２７に食い込んで位置決めされる。
【００２６】
締め付け部１１により可撓性シールド部材２７を締め付けた状態を保持しつつ、締め付け部１１の一端部１１Ａと他端部１１Ｂとを上方へ折り曲げて、略円形状に塑性変形させると、図８に示すように、固定具１０をコネクタ２０に固定することができる。
【００２７】
本実施形態の作用および効果について説明する。
本実施形態によれば、帯状の締め付け部１１を有するとともに、締め付け部１１の一端部１１Ａと他端部１１Ｂとを重ね合わせて塑性変形させることでコネクタ２０に固定具１１を固定可能な構成とするだけでよいので、２部材を接合させる工程は不要である。その結果、本実施形態によれば、簡易な構造の固定具１０を提供することができる。
【００２８】
また、本実施形態によれば、締め付け部１１のうち、可撓性シールド部材２７側に配される面１２には、突部１３が形成されているから、締め付け部１１が可撓性シールド部材２７に食い込むように接触するので、固定具１０が位置ずれしにくくなる。
【００２９】
特に、本実施形態によれば、突部１３が、対向する位置に形成されているから、固定具１０の位置ずれを確実に防止することができる。
【００３０】
＜他の実施形態＞
本発明は上記記述及び図面によって説明した実施形態に限定されるものではなく、例えば次のような実施形態も本発明の技術的範囲に含まれる。
（１）上記実施形態では、対向する位置に突部１３を設けた締め付け部１１を有する固定具１０を示したがこれに限定されない。例えば、突部を設けないものや、一箇所に突部を設けた締め付け部を有するものや、対向しない位置に３以上の突部を設けた締め付け部を有するものであってもよい。
（２）上記実施形態では、被固定物がコネクタ２０の例を示したが、被固定物は、複数本の電線をシールドするシールドパイプであってもよい。
【符号の説明】
【００３１】
１０…固定具
１１…締め付け部
１１Ａ…一端部
１１Ｂ…他端部
１２…内側面（可撓性シールド部材側に配される面）
１３…突部
２０…コネクタ（被固定物）
２３…貫通孔
２７…可撓性シールド部材
【図１】
2014003844.tif 000003
【図２】
2014003844.tif 000004
【図３】
2014003844.tif 000005
【図４】
2014003844.tif 000006
【図５】
2014003844.tif 000007
【図６】
2014003844.tif 000008
【図７】
2014003844.tif 000009
【図８】
2014003844.tif 000010